(57)【要約】【課題】光透過率の異なる種々の印刷物に適用可能な照明装置を提供する。【解決手段】  照明装置１は、光源１５と、導光板１３とを備える。導光板１３は、表面１３１及び１３２と、光源１５からの光が入射する側面１３３とを有する。ある程度の光透過率を有する印刷物は、表面１３１側に配置される。この場合、照明装置１はバックライトとして機能する。光透過率が低い印刷物は、表面１３２側に配置される。この場合、照明装置１はフロントライトとして機能する。【選択図】図２
2011181410.tif 000002
【特許請求の範囲】
【請求項１】
光源と、
第１表面と、前記第１表面と反対側の第２表面と、前記第１表面と前記第２表面との間に配置され、前記光源からの光が入射する側面とを有する導光板とを備え、
前記第１表面側に印刷物が配置されることによりフロントライトとして機能し、前記第２表面側に印刷物が配置されることによりバックライトとして機能する、照明装置。
【請求項２】
請求項１に記載の照明装置であって、
前記第１表面側及び前記第２表面側に印刷物を配置するための配置部材とを備える、照明装置。
【請求項３】
請求項２に記載の照明装置であって、
前記配置部材は、
側壁と背面壁とを備え、正面に開口を有する筺体を備え、
前記光源及び前記導光板は、前記筐体に収納され、
前記第１表面は、前記背面壁側に配置され、前記第２表面は前記筐体の正面側に配置され、
前記筺体内には、第１収納室と、前記第１収納室よりも前記筐体の正面側に配置される第２収納室とが形成され、
前記第１収納室及び前記第２収納室は、前記導光板により仕切られる、照明装置。
【請求項４】
請求項３に記載の照明装置であってさらに、
前記筐体の正面に取り付けられる透明板を備える、照明装置。
【請求項５】
請求項３又は請求項４に記載の照明装置であって、
前記第１表面又は第２表面には、複数の凸部又は凹部が形成される、照明装置。
【請求項６】
請求項５に記載の照明装置であって、
前記第１表面の方が前記第２表面よりも、前記光源から前記導光板に入射した光を外部に多く出射する、照明装置。
【請求項７】
請求項３〜請求項６のいずれか１項に記載の照明装置であってさらに、
前記筺体内の前記背面壁の表面に配置される反射部材を備える、照明装置。
【請求項８】
請求項３〜請求項７のいずれか１項に記載の照明装置であって、
前記第１収納室及び／又は前記第２収納室には、印刷物が収納される、照明装置。
【請求項９】
請求項８に記載の照明装置であってさらに、
前記第１収納室に収納される、第１印刷物と、
前記第２収納室に収納され、前記第１印刷物よりも高い光透過性を有する第２印刷物とを備える、照明装置。
【請求項１０】
請求項３に記載の照明装置であって、
前記側壁はさらに、前記第１収納室とつながり、印刷物が挿入される第１挿入口を有する、照明装置。
【請求項１１】
請求項４に記載の照明装置であって、
前記側壁はさらに、前記第２収納室とつながり、印刷物が挿入される第２挿入口を有する、照明装置。
【請求項１２】
請求項３に記載の照明装置であって、
前記背面壁は、着脱可能又は開閉可能に前記側壁に取り付けられる、照明装置。
【請求項１３】
請求項４に記載の照明装置であって、
前記透明板は着脱可能又は開閉可能に前記筐体に取り付けられる、照明装置。
【請求項１４】
請求項２に記載の照明装置であって、
前記配置部材は、
側壁と背面壁とを備え、正面に開口を有する筺体と、
前記第２表面上に前記印刷物を取り付ける取付部材とを備え、
前記光源及び導光板は、前記筐体に収納され、
前記第１表面は、前記背面壁側に配置され、前記第２表面は、前記筐体の正面側に配置され、
前記導光板と前記背面壁との間には、収納室が形成される、照明装置。
【発明の詳細な説明】
【技術分野】
【０００１】
本発明は、照明装置に関し、さらに詳しくは、印刷物を照明する照明装置に関する。
【背景技術】
【０００２】
ライトパネルや電飾看板等に代表される照明装置は、写真画像や絵画像、文字画像を含む印刷物（たとえばポスター）を照明する。このような照明装置は、実公昭５１−２４４４号公報（特許文献１）に開示される。この文献に開示された照明装置は、印刷物の裏面から印刷物を照射する。
【先行技術文献】
【特許文献】
【０００３】
【特許文献１】実公昭５１−２４４４号公報
【特許文献２】実公昭５９−６５６６号公報
【特許文献３】特許第３０８１２１６号公報
【発明の概要】
【０００４】
印刷物の裏面から印刷物が照射される場合、光透過性の低い印刷物（たとえば、紙面を用いた印刷物）は、見えにくい。したがって、特許文献１の照明装置は、光透過性の高い印刷物に適用できるものの、光透過性の低い印刷物に適用しにくい。
【発明が解決しようとする課題】
【０００５】
本発明の目的は、光透過率の高い印刷物にも、光透過率の低い印刷物にも適用しやすい、照明装置を提供することである。
【課題を解決するための手段及び効果】
【０００６】
本発明による照明装置は、光源と、導光板とを備える。導光板は、第１表面と、第２表面と、側面とを有する。第１表面は、背面壁に対向して配置される。第２表面は、第１表面と反対側に配置される。側面は、第１表面と第２表面との間に配置され、光源からの光が入射する。照明装置は、第１表面側に印刷物が配置されることによりフロントライトとして機能し、第２表面側に印刷物が配置されることによりバックライトとして機能する。
【０００７】
本発明による照明装置は、フロントライトとしてもバックライトとしても機能する。したがって、本発明による照明装置は、光透過性の高い印刷物にも光透過性の低い印刷物にも適用しやすい。
【０００８】
好ましくは、照明装置は、配置部材を備える。配置部材は、第１表面側及び第２表面側に印刷物を配置する。
【０００９】
好ましくは、配置部材は、筐体を備える。筐体は、側壁と背面壁とを備える。光源及び導光板は、筐体に収納される。導光板の第１表面は、背面壁側に配置され、第２表面は、筐体の正面側に配置される。筐体内には、第１及び第２収納室が形成される。第２収納室は、第１収納室よりも筐体の正面側に形成される。第１収納室及び第２収納室は、導光板により仕切られる。
【００１０】
第１収納室に印刷物が収納された場合、照明装置はフロントライトとして機能する。第２収納室に印刷物が収納された場合、照明装置はバックライトとして機能する。
【００１１】
好ましくは、照明装置はさらに、筐体の正面に取り付けられる透明板を備える。
【００１２】
好ましくは、導光板の第１表面又は第２表面には、複数の凸部又は凹部が形成される。
【００１３】
好ましくは、第１表面の方が第２表面よりも、光源から導光板に入射した光を外部に多く出射する。
【００１４】
この場合、第１収納室に収納された印刷物が明瞭に見えやすい。
【００１５】
好ましくは、照明装置はさらに、反射部材を備える。反射部材は、筺体内の背面壁の表面上に配置される。
【００１６】
この場合、第２収納室に収納された印刷物が明瞭に見えやすい。
【００１７】
好ましくは、照明装置はさらに、第１印刷物と、第２印刷物とを備える。第１印刷物は、第１収納室に収納される。第２印刷物は、第２収納室に収納される。第２印刷物は、第１印刷物よりも高い光透過性を有する。
【００１８】
この場合、照明装置は、斬新なデザインを表示できる。
【００１９】
好ましくは、配置部材は、筐体と、取付部材とを備える。取付部材は、第２表面上に印刷物を取り付ける。筐体は、側壁と背面壁とを備え、正面に開口を有する。光源及び導光板は、筐体に収納される。第１表面は、背面壁側に配置され、第２表面は、筐体の正面側に配置される。導光板と背面壁との間には、収納室が形成される。
【００２０】
この場合、収納室に印刷物を収納すれば、照明装置はフロントライトとして機能する。一方、印刷物を取付部材により第２表面上に配置すれば、照明装置はバックライトとして機能する。したがって、照明装置は、光透過性の高い印刷物にも光透過性の低い印刷物にも適用しやすい。
【図面の簡単な説明】
【００２１】
【図１】本発明の実施の形態による照明装置の斜視図である。
【図２】図１中のＩＩ−ＩＩ線での断面図である。
【図３】図１に示す照明装置に印刷物を収納したときの、照明装置の断面図である。
【図４】図３に示す照明装置の正面図である。
【図５】図３と異なる場所に印刷物を収納したときの、照明装置の断面図である。
【図６】図５に示す照明装置の正面図である。
【図７】２枚の印刷物を収納したときの、照明装置の断面図である。
【図８】図７に示す照明装置の正面図である。
【図９】図２と異なる構成を有する他の照明装置の断面図である。
【図１０】図２及び図９と異なる構成を有する他の照明装置の断面図である。
【図１１】図２、図９及び図１０と異なる構成を有する他の照明装置の断面図である。
【図１２】図２，図９〜図１１と異なる構成を有する他の照明装置の断面図である。
【図１３】図１２に示す照明装置に印刷物を収納したときの、照明装置の断面図である。
【発明を実施するための形態】
【００２２】
以下、図面を参照し、本発明の実施の形態を詳しく説明する。図中同一又は相当部分には同一符号を付してその説明は繰り返さない。
【００２３】
［照明装置の構成］
図１は、本実施の形態による照明装置の斜視図である。照明装置１は、筐体１１と、透明板１２とを備える。筐体１１は平らな直方体状であり、正面に開口を有する。筐体１１の素材は金属であってもよいし、光透過性の低い樹脂であってもよい。
【００２４】
透明板１２は、筐体１１の正面に取り付けられる。透明板１２は可視光に対して光透過性を有する。透明板１２の素材はたとえば、ガラスや、ポリエステル系樹脂、ポリカーボネート系樹脂、ポリアクリル酸エステル系樹脂、脂環式ポリオレフィン系樹脂、ポリスチレン系樹脂、ポリ塩化ビニル系樹脂、ポリ酢酸ビニル系樹脂、ポリエーテルスルホン酸系樹脂、トリアセチルセルロース系樹脂等の樹脂である。
【００２５】
図２は、図１中のＩＩ−ＩＩ線での断面図である。図２を参照して、筐体１１は、背面壁１１Ｂと側壁１１Ｓとを備える。照明装置１はさらに、導光板１３と、光源１５とを備える。導光板１３及び光源１５は、筐体１１内に収納される。側壁１１Ｓは、溝１１Ｇを有する。溝１１Ｇは、背面壁１１Ｂ及び透明板１２に沿って延びる。光源１５は溝１１Ｇ内に収納される。光源１５はたとえば、溝１１Ｇに沿って並んだ複数の発光ダイオード（Light Emitting Diode：ＬＥＤ）や、冷陰極管である。
【００２６】
導光板１３は、光源１５の隣に配置される。導光板１３はさらに、透明板１２と背面壁１１Ｂとの間に配置される。
【００２７】
導光板１３は、板状又はシート状である。導光板１３は、表面１３１及び１３２と、側面１３３とを有する。表面１３２は背面壁１１Ｂに対向して配置される。表面１３１は、表面１３２と反対側に配置される。表面１３１は、透明板１２と対向して配置される。側面１３３は、光源１５と対向して配置される。光源１５からの光は、側面１３３に入射する。
【００２８】
表面１３１は、構造化された表面である。具体的には、表面１３１は、複数の凸部ＣＰを有する。複数の凸部ＣＰは周知の形状を有する。凸部ＣＰはたとえば、溝１１Ｇに沿って延びる線状プリズムである。複数の凸部ＣＰは、照明装置１の上下方向に並んで配置される。図２において、表面１３１は、隣り合う凸部ＣＰの間に平坦部を有する。つまり、隣り合う凸部ＣＰは離れて配置される。
【００２９】
凸部ＣＰは傾斜面Ｓ１と傾斜面Ｓ２とを備える。傾斜面Ｓ１は、傾斜面Ｓ２よりも光源１５に近い。傾斜面Ｓ１の底角（表面１３１の平坦部と傾斜面Ｓ１とがなす角）は、傾斜面Ｓ２の底角（表面１３１の平坦部と傾斜面Ｓ２とがなす角）よりも小さい。傾斜面Ｓ２は主として、光源１５からの光を全反射する。全反射された光は表面１３２を透過する。一方、傾斜面Ｓ１は主として、表面１３２から入射した光を透過し、照明装置１の正面に出射する。
【００３０】
導光板１３はいわゆる、フロントライト用の導光板である。つまり、表面１３２は、表面１３１よりも、光源１５から導光板１３に入射した光を多く出射する。
【００３１】
照明装置１はさらに、反射部材１４を備える。反射部材１４は板状、又は、シート状、又は、フィルム状である。反射部材１４は、筐体１１内の背面壁１１Ｂの表面上に配置される。反射部材１４は表面１３２と対向する。反射部材１４は、表面１３２からの光を反射して、再び表面１３２に戻す。反射部材１４は、たとえば東レ製ルミラー（登録商標）Ｅ６０ＬやＥ６０Ｖである。反射部材１４の拡散反射率は９５％以上であるのが好ましい。
【００３２】
筐体１１内には、収納室２１及び２２が形成される。収納室２１は、収納室２２よりも照明装置１の正面側に配置される。収納室２１と収納室２２とは、導光板１３により仕切られる。つまり、収納室２２は、表面１３２と背面壁１１Ｂとの間に形成され、収納室２１は、表面１３１と透明板１２との間に形成される。
【００３３】
収納室２１及び２２には、印刷物が収納される。印刷物は、シート状又はフィルム状であり、画像が描画又は印刷される。画像はたとえば、文字画像や絵画像、装飾画像である。印刷物はたとえば、ポスターである。
【００３４】
側壁１１Ｓはさらに、挿入口２３及び２４を有する。挿入口２３は、収納室２１とつながる。より具体的には、挿入口２３は、側壁１１Ｓの外表面に開口する開口端と、収納室２１に開口する開口端とを有する。挿入口２３はたとえば、長方形状（スリット状）である。印刷物は、挿入口２３から収納室２１に挿入される。
【００３５】
挿入口２４は、収納室２２とつながる。より具体的には、挿入口２４は、側壁１１Ｓの外表面に開口する開口端と、収納室２２に開口する開口端とを有する。挿入口２４はたとえば、長方形状（スリット状）である。印刷物は挿入口２４から収納室２２に挿入される。
【００３６】
［バックライトとしての照明装置１の利用］
照明装置１をバックライトとして利用する場合、図３に示すように、収納室２１に、印刷物３１が収納される。印刷物３１は、挿入口２３から収納室２１に挿入される。図４は、印刷物３１が収納された照明装置１の正面図である。図４に示される印刷物３１には、図形画像である画像３１ａ、３１ｂ及び３１ｃが描画されている。図４に示される印刷物３１は一例である。したがって、印刷物３１に描画される画像はこれに限られない。
【００３７】
再び図３を参照して、照明装置１において、光源１５からの光Ｒ１は、導光板１３に入射する。入射した光Ｒ１は主として、表面１３１で全反射し、表面１３２から外部に出射する。表面１３２から出射した光Ｒ１は、反射部材１４で反射し、表面１３２から導光板１３に再び入射する。導光板１３に再び入射した光は、表面１３１を透過し、照明装置１の正面方向に出射する。表面１３１から外部に出射した光は、印刷物３１に入射する。
【００３８】
以上の工程により、照明装置１は印刷物３１を、印刷物３１の裏面から照射する。つまり、照明装置１はバックライト方式のライトパネルとして機能する。印刷物３１は、裏面から光を受ける。そのため、印刷物３１の光透過性が低い場合、印刷物３１が見えにくい。したがって、印刷物３１の光透過性はある程度高い方が好ましい。
【００３９】
［フロントライトとしての照明装置１の利用］
照明装置１をフロントライトとして利用する場合、図５に示すように、収納室２２に、印刷物３２が収納される。印刷物３２は、挿入口２４から収納室２２に挿入される。図５では、収納室２１には印刷物が収納されない。図６は、印刷物３２が収納された照明装置１の正面図である。図６に示される印刷物３２には、文字画像である画像３２ａ及び３２ｂが描画されている。図６に示される印刷物３２は一例である。したがって、印刷物３２に描画される画像はこれに限定されない。
【００４０】
再び図５を参照して、照明装置１において、光源１５からの光は主として、図３と同様に、表面１３１で全反射する。凸部ＣＰで全反射した光は表面１３２を透過し、導光板１３の外部に出射する。表面１３２から出射した光は、印刷物３２の表面で反射する。反射した光は表面１３２に入射し、再び導光板１３内を進む。導光板１３に回帰した光は、表面１３１を透過して外部（照明装置１の正面）に出射する。
【００４１】
以上の工程により、照明装置１は印刷物３２を、印刷物３２の表面から照射する。つまり、照明装置１は、フロントライト方式のライトパネルとして機能する。この場合、印刷物３２の光透過性が低くても、印刷物３２は明瞭に見られる。たとえば、印刷物３２の文字画像３２ａ及び３２ｂが、墨書風に黒色で描画されたり、金色や銀色といった金属色で描画されたりしても、画像３２ａ及び３２ｂは明瞭に見られる。また、印刷物３２が紙媒体であっても、画像３２ａ及び３２ｂは明瞭に見られる。
【００４２】
以上のとおり、照明装置１は、バックライトとして機能できるし、フロントライトとして機能できる。照明装置１はフロントライトとしても機能するため、導光板１３は、いわゆる白ドット印刷方式の導光板ではなく、表面が賦形された導光板である。導光板１３が白ドット印刷方式の導光板であれば、照明装置１がフロントライトとして利用される場合に、白ドットが見えてしまうからである。
【００４３】
［バックライト及びフロントライトとしての照明装置１の利用］
照明装置１はさらに、図７に示すように、収納室２１及び２２のそれぞれに印刷物を収納してもよい。この場合、照明装置１は、斬新なデザインを表示できる。
【００４４】
図７の照明装置１では、収納室２２に印刷物３２が収納され、さらに、収納室２１に印刷物３１が収納される。印刷物３１の光透過性は、印刷物３２の光透過性よりも高い。本例では、印刷物３１は、透明なシート状の印刷媒体（たとえばアクリル樹脂）である。印刷物３１の表面には、光透過性を有する塗料により画像３１ａ〜３１ｃが描画されている。一方、印刷物３２はたとえば、紙媒体である。したがって、印刷物３２の光透過性は印刷物３１よりも低い。印刷物３２の表面には、反射率の高い金属色の画像３２ａ及び３２ｂが描画されている。
【００４５】
このように、収納室２１及び２２のそれぞれに、印刷物３１又は３２を収納した場合、図８に示すとおり、印刷物３１上の画像３１ａ〜３１ｃが、印刷物３２上の画像３２ａ及び３２ｂとその背景（たとえば、紙媒体自体の色）の上に重ねて表示される。この場合、印刷物３１上の画像３１ａ〜３１ｃが、印刷物３２から浮いて見える。
【００４６】
以上のとおり、図７において、照明装置１は、導光板１３の表面１３１側に印刷物３１を配置し、表面１３２側に印刷物３２を配置する。このとき、照明装置１は、印刷物３１に対してバックライトとして機能し、かつ、印刷物３２に対してフロントライトとして機能する。そのため、照明装置１は、印刷物３１及び３２を同時に照明できる。さらに、照明装置１は、印刷物３１を印刷物３２と重ねて表示する。そのため、照明装置１は、絵画像や文字画像が浮いて見える斬新なデザインを容易に実現できる。
【００４７】
［他の実施の形態］
上述の照明装置１では、反射部材１４が背面壁１１Ｂの内側表面上に配置される。しかしながら、図９に示すように、筐体１１内に反射部材１４が配置されなくてもよい。つまり、照明装置１は反射部材１４を備えなくても良い。図９に示す照明装置も、収納室２１に収納される印刷物を照明できるし、収納室２２に収納される印刷物を照明できる。
【００４８】
上述の照明装置１では、導光板１３は、構造化された表面１３１を有する。換言すれば、導光板１３は、複数の凸部ＣＰが形成された表面１３１を有する。しかしながら、導光板１３は、複数の凸部ＣＰの代わりに複数の凹部が形成された表面１３１を有しても良い。このとき、凸部及び凹部の形状は、フロントライト用の周知の導光板に形成される周知の形状でよい。
【００４９】
さらに、表面１３１に代えて、表面１３２が構造化されていてもよい。つまり、導光板１３は、複数の凸部又は凹部を有する表面１３２を有しても良い。導光板１３はさらに、複数の凸部又は複数の凹部を有する表面１３１と、複数の凸部又は複数の凹部を有する表面１３２とを有しても良い。
【００５０】
要するに、導光板１３の表面１３１及び１３２の少なくともいずれか一方が構造化されていればよい。このとき、表面１３１及び１３２の凸部又は凹部の形状は、周知のフロントライト用導光板の形状と同じでよい。光源１５からの光の出射量は、表面１３２の方が表面１３１よりも多い方が好ましい。照明装置１がフロントライトとして利用されるとき、光源１５からの光が表面１３１から多く出射すれば、光の利用効率が低下する。しかしながら、表面１３１における光源１５からの光の出射量が表面１３２と同等又はそれ以上であっても、照明装置１は、フロントライトとしてある程度利用できるし、バックライトとしてある程度利用できる。
【００５１】
上述の実施の形態では、挿入口２３及び２４を用いて、印刷物３１及び３２が収納室２１及び２２に収納される。しかしながら、他の方法により、印刷物３１及び３２が収納室２１及び２２に収納されてもよい。
【００５２】
たとえば、図１０に示す照明装置１００は、照明装置１と比較して、挿入口２３及び２４が形成されない。代わりに、照明装置１００では、透明板１２が着脱可能に筐体１１に取り付けられる。また、背面壁１１Ｂが、着脱可能に筐体１１の側壁１１Ｓに取り付けられる。この場合、透明板１２を筐体１１から取り外せば、印刷物を収納室２１に収納できる。また、背面壁１１Ｂを筐体１１から取り外せば、印刷物を収納室２２に収納できる。
【００５３】
図１１に示す照明装置１５０では、透明板１２は、ヒンジ１２０により、開閉可能に筐体１１に取り付けられる。また、背面壁１１Ｂは、ヒンジ１１０により、開閉可能に筐体１１の側壁１１Ｓに取り付けられる。透明板１２の上端は、ヒンジ１２０を介して、筐体１１の側壁１１Ｓに取り付けられる。印刷物を収納室２１に収納する場合、透明板１２をヒンジ１２０周りに回転する。これにより、透明板１２が開き、印刷物を収納室２１に収納できる。
【００５４】
同様に、背面壁１１Ｂの上端は、ヒンジ１１０を介して、筐体１１の側壁１１Ｓに取り付けられる。印刷物を収納室２２に収納する場合、背面壁１１Ｂをヒンジ１１０周りに回転する。これにより、背面壁１１Ｂが開き、印刷物を収納室２２に収納できる。
【００５５】
上述の照明装置１、１００及び１５０は、透明板１２を備える。しかしながら、本実施の形態による照明装置は、透明板１２を備えなくても良い。この場合、収納室２１は正面が開口している。しかしながら、印刷物３１が収納室２１に収納されれば、透明板１２がなくても上述の効果を奏することができる。この場合、印刷物３１は透明な粘着テープ等により、導光板１３の表面１３１上に配置されてもよい。
【００５６】
図１２に示す照明装置１６０は、透明板１２を備えない。照明装置１６０は、取付部材５１０及び５１１を備える。取付部材５１０及び５１１は、導光板１３の表面１３１の周縁上に配置される。取付部材５１０は、溝１１Ｇに沿って延びる板状である。取付部材５１０の端部は、ヒンジを介して上部側壁１１Ｓ１の端部に取り付けられる。そのため、取付部材５１０は開閉可能に上部側壁１１Ｓ１の端部に取り付けられる。
【００５７】
取付部材５１１も、取付部材５１０と同様に、溝１１Ｇに沿って延びる板状である。取付部材５１１の端部は、ヒンジを介して下部側壁１１Ｓ２の端部に取り付けられる。そのため、取付部材５１１は開閉可能に下部側壁１１Ｓ２の端部に取り付けられる。
【００５８】
印刷物３１を導光板１３の表面１３１上に配置するとき、取付部材５１０及び５１１を開く。そして、印刷物３１を表面１３１上に配置した後、図１３に示すとおり、取付部材５１０及び５１１を閉じる。印刷物３１は、取付部材５１０及び５１１により、表面１３１上に固定される。
【００５９】
取付部材５１０及び５１１は、図１２及び図１３以外の周知の構成を有していても良い。要するに、取付部材５１０及び５１１は、印刷物３１を表面１３１上に取り付けることができれば、どのような構成でも良い。
【００６０】
上述の実施の形態による照明装置の筐体１１の形状はいずれも、直方体状である。しかしながら、筐体１１は、他の形状を有していても良い。たとえば、筐体１１は、丸みを帯びたコーナ（角）を有する直方体状であってもよい。また、筐体１１は、側壁１１Ｓが円筒面となる円盤状、円筒状であってもよい。要するに、筐体１１の形状は特に限定されない。
【００６１】
上述の実施の形態による照明装置は、筐体１１内の収納室２１及び２２により、又は取付部材５１０及び５１１により、印刷物３１及び３２を導光板１３の表面１３１側及び表面１３２側に配置する。しかしながら、照明装置は、筐体１１や取付部材５１０及び５１１と異なる他の配置部材により、印刷物３１を表面１３１側に配置したり、印刷物３２を表面１３２側に配置したりしてもよい。
【００６２】
要するに、本実施の形態による照明装置は、光源１５と、導光板１３とを備え、印刷物３１が表面１３１側に配置されることによりバックライトとしてき機能し、印刷物３２が表面１３２側に配置されることによりフロントライトとして機能する。
【００６３】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００６４】
１，１００，１５０，１６０  照明装置
１１  筐体
１１Ｂ  背面壁
１１Ｓ  側壁
１２  透明板
１３  導光板
１４  反射部材
１５  光源
２１，２２  収納室
２３，２４  挿入口
３１，３２  印刷物
１３１，１３２  表面
１３３  側面
５１０，５１１  取付部材
ＣＰ  凸部
【図１】
2011181410.tif 000003
【図２】
2011181410.tif 000004
【図３】
2011181410.tif 000005
【図４】
2011181410.tif 000006
【図５】
2011181410.tif 000007
【図６】
2011181410.tif 000008
【図７】
2011181410.tif 000009
【図８】
2011181410.tif 000010
【図９】
2011181410.tif 000011
【図１０】
2011181410.tif 000012
【図１１】
2011181410.tif 000013
【図１２】
2011181410.tif 000014
【図１３】
2011181410.tif 000015